(57)【要約】
【課題】  コンポジット映像信号を入力したときの映像の白バランスと、コンポーネント映像信号を入力したときの映像の白バランスと、の差異が目立ってしまうことがあった。
【解決手段】  ＥＥＰＲＯＭ（不揮発性メモリ）１５０に、コンポーネント映像信号（第二の映像信号）に基づく映像の白バランスを調整するコンポーネント用調整値（第二調整値）を記憶させ、コンポーネント映像信号を入力したとき、同コンポーネント映像信号に基づいて映像を表示する際にＥＥＰＲＯＭ１５０に記憶されたコンポーネント用調整値に応じた調整量の調整処理を行って同コンポーネント映像信号に合わせて白バランスが調整された映像を表示する構成とした。コンポジット映像信号とコンポーネント映像信号を入力して比較したときの映像の白バランスの差異を少なくさせることができる。
【選択図】  図１２
0003101320.tif 000002
【実用新案登録請求の範囲】
【請求項１】
輝度信号と色差信号とが合成されたコンポジット映像信号および輝度信号と色差信号とが分離されたコンポーネント映像信号を選択的に入力し、内蔵するクロマ回路にて同入力した輝度信号と色差信号とから三原色別の色信号を生成し、生成した三原色別の色信号に基づいて映像を表示するとともに、本テレビジョン別に設けられて同コンポジット映像信号に基づく映像の白バランスを調整する白バランス調整値を入力してＥＥＰＲＯＭに記憶可能であり、同クロマ回路に対して同記憶した白バランス調整値を出力することにより、同クロマ回路にて同色差信号と同三原色別の色信号のいずれかまたは組み合わせに対して同記憶した白バランス調整値に応じた調整量の調整処理を行い、同コンポジット映像信号に基づく映像に合わせて白バランスが調整された映像を表示可能なテレビジョンと、
上記白バランス調整値を決定するための基準のコンポジット映像信号を生成して上記テレビジョンに対して出力する信号発生回路と、
上記テレビジョンにて表示される映像の色成分量を検出して対応する色成分値を出力可能なカラーアナライザと、
上記白バランス調整値を出力することにより上記テレビジョンにて表示される映像の白バランス調整を行う白バランス調整用コンピュータとを備えるテレビジョン調整システムにおいて、
上記テレビジョンは、本テレビジョン別に設けられて上記コンポーネント映像信号に基づく映像の白バランスを調整するコンポーネント用調整値を入力して上記ＥＥＰＲＯＭに記憶可能であるとともに、上記コンポーネント映像信号を入力したとき、上記クロマ回路に対して同記憶したコンポーネント用調整値を出力することにより、同クロマ回路にて上記色差信号と上記三原色別の色信号のいずれかまたは組み合わせに対して同記憶したコンポーネント用調整値に応じた調整量の調整処理を行い、同コンポーネント映像信号に合わせて白バランスが調整された映像を表示し、
上記信号発生回路は、上記コンポーネント用調整値を決定するための基準のコンポーネント映像信号を生成して出力し、
上記白バランス調整用コンピュータは、上記信号発生回路から上記基準のコンポジット映像信号が出力されている状態において上記カラーアナライザから出力される第一の色成分値を取得し、当該第一の色成分値に基づいて上記白バランス調整値を決定して同テレビジョンに対して出力するとともに、上記信号発生回路から上記基準のコンポーネント映像信号が出力されている状態において上記カラーアナライザから出力される第二の色成分値を取得し、取得した第一および第二の色成分値の差が所定範囲内となるまで、同第二の色成分値に基づいて上記コンポーネント用調整値を算出して上記テレビジョンに対して出力した後に上記カラーアナライザから上記第二の色成分値を取得する処理を繰り返し行うことにより、上記コンポーネント映像信号に基づく映像の白バランスを上記コンポジット映像信号に基づく映像の白バランスに合わせることを特徴とするテレビジョン調整システム。
【請求項２】
複数の種類の信号で明るさおよび色を表す第一および第二の映像信号を選択的に入力して入力した映像信号に基づいて映像を表示する際、不揮発性メモリに記憶されているとともに同第一の映像信号に基づく映像の白バランスを調整する調整値に応じた調整量の調整処理を行って同第一の映像信号に基づく映像に合わせて白バランスが調整された映像を表示可能なテレビジョンと、このテレビジョンに対して映像の白バランス調整を行う調整手段とを備えるテレビジョン調整システムであって、
上記テレビジョンは、上記第二の映像信号に基づく映像の白バランスを調整する第二調整値を入力して上記不揮発性メモリに記憶可能であるとともに、上記第二の映像信号を入力したとき、同第二の映像信号に基づいて映像を表示する際に上記不揮発性メモリに記憶された第二調整値に応じた調整量の調整処理を行って同第二の映像信号に合わせて白バランスが調整された映像を表示し、
上記調整手段は、上記第一の映像信号の基準信号を上記テレビジョンに対して出力している状態において同テレビジョンにて表示される映像の色成分量を検出して対応する第一の色成分値を取得するとともに、上記第二の映像信号の基準信号を上記テレビジョンに対して出力している状態において同テレビジョンにて表示される映像の色成分量を検出して対応する第二の色成分値を取得し、取得した第一および第二の色成分値に基づいて上記第二の映像信号に基づく映像の白バランスを上記第一の映像信号に基づく映像の白バランスに合わせるように上記第二調整値を決定して上記テレビジョンに対して出力することにより上記白バランス調整を行うことを特徴とするテレビジョン調整システム。
【請求項３】
複数の種類の信号で明るさおよび色を表す第一および第二の映像信号を選択的に入力して入力した映像信号に基づいて映像を表示する際、不揮発性メモリに記憶されているとともに同第一の映像信号に基づく映像の白バランスを調整する調整値に応じた調整量の調整処理を行って同第一の映像信号に基づく映像に合わせて白バランスが調整された映像を表示可能なテレビジョンであって、
上記不揮発性メモリは、上記第二の映像信号に基づく映像の白バランスを調整する第二調整値を記憶し、
上記第二の映像信号を入力したとき、同第二の映像信号に基づいて映像を表示する際に上記不揮発性メモリに記憶された第二調整値に応じた調整量の調整処理を行って同第二の映像信号に合わせて白バランスが調整された映像を表示することを特徴とするテレビジョン。
【請求項４】
上記第一および第二の映像信号のうち一方の映像信号は、輝度信号と色差信号とが合成されたコンポジット映像信号であり、他方の映像信号は、輝度信号と色差信号とが分離されたコンポーネント映像信号であることを特徴とする請求項３に記載のテレビジョン。
【請求項５】
本テレビジョンは、上記輝度信号と色差信号とから三原色別の色信号を生成して当該三原色別の色信号に基づいて映像を表示し、
上記第二調整値には、少なくとも上記三原色別の色信号のそれぞれに対するカットオフの調整量を表すカットオフ調整値が含まれ、
本テレビジョンは、上記三原色別の色信号のそれぞれに対して上記不揮発性メモリに記憶されたカットオフ調整値に応じた調整量の調整処理を行って上記第二の映像信号に合わせて白バランスが調整された映像を表示することを特徴とする請求項４に記載のテレビジョン。
【請求項６】
上記第二調整値には、少なくとも上記色差信号に対するドライブの調整量を表すドライブ調整値が含まれ、
本テレビジョンは、上記色差信号に対して上記不揮発性メモリに記憶されたドライブ調整値に応じた調整量の調整処理を行って上記第二の映像信号に合わせて白バランスが調整された映像を表示することを特徴とする請求項５に記載のテレビジョン。
【請求項７】
上記不揮発性メモリは、記憶するデータを書き換え可能なメモリとされ、
上記調整値と第二調整値とを入力して上記不揮発性メモリに記憶可能とされていることを特徴とする請求項６に記載のテレビジョン。
【請求項８】
上記不揮発性メモリは、ＥＥＰＲＯＭであり、
上記第二調整値は、本テレビジョン別に設けられて上記ＥＥＰＲＯＭに記憶されることを特徴とする請求項７に記載のテレビジョン。
【請求項９】
輝度信号と色差信号とが合成されたコンポジット映像信号および輝度信号と色差信号とが分離されたコンポーネント映像信号を選択的に入力し、内蔵するクロマ回路にて同入力した輝度信号と色差信号とから三原色別の色信号を生成し、生成した三原色別の色信号に基づいて映像を表示するとともに、本テレビジョン別に設けられて同コンポジット映像信号に基づく映像の白バランスを調整する白バランス調整値を入力してＥＥＰＲＯＭに記憶可能であり、同クロマ回路に対して同記憶した白バランス調整値を出力することにより、同クロマ回路にて同色差信号と同三原色別の色信号のいずれかまたは組み合わせに対して同記憶した白バランス調整値に応じた調整量の調整処理を行い、同コンポジット映像信号に基づく映像に合わせて白バランスが調整された映像を表示可能なテレビジョンにおいて、
本テレビジョン別に設けられて上記コンポーネント映像信号に基づく映像の白バランスを調整するコンポーネント用調整値を入力して上記ＥＥＰＲＯＭに記憶可能であるとともに、
上記コンポーネント映像信号を入力したとき、上記クロマ回路に対して同記憶したコンポーネント用調整値を出力することにより、同クロマ回路にて上記色差信号と上記三原色別の色信号のいずれかまたは組み合わせに対して同記憶したコンポーネント用調整値に応じた調整量の調整処理を行い、同コンポーネント映像信号に合わせて白バランスが調整された映像を表示することを特徴とするテレビジョン。
【請求項１０】
複数の種類の信号で明るさおよび色を表す第一および第二の映像信号を選択的に入力して入力した映像信号に基づいて映像を表示する際、不揮発性メモリに記憶されているとともに同第一の映像信号に基づく映像の白バランスを調整する調整値に応じた調整量の調整処理を行って同第一の映像信号に基づく映像に合わせて白バランスが調整された映像を表示可能であり、上記不揮発性メモリには上記第二の映像信号に基づく映像の白バランスを調整する第二調整値が記憶され、上記第二の映像信号を入力したとき、同第二の映像信号に基づいて映像を表示する際に上記不揮発性メモリに記憶された第二調整値に応じた調整量の調整処理を行って同第二の映像信号に合わせて白バランスが調整された映像を表示可能なテレビジョンに対して、映像の白バランス調整を行う白バランス調整用コンピュータであって、
上記第一の映像信号の基準信号を上記テレビジョンに対して出力している状態において、同テレビジョンにて表示される映像の色成分量を検出して対応する色成分値を出力可能な色分析手段から第一の色成分値を取得するとともに、上記第二の映像信号の基準信号を上記テレビジョンに対して出力している状態において、上記色分析手段から第二の色成分値を取得し、取得した第一および第二の色成分値に基づいて上記第二の映像信号に基づく映像の白バランスを上記第一の映像信号に基づく映像の白バランスに合わせるように上記第二調整値を決定して上記テレビジョンに対して出力することにより上記白バランス調整を行うことを特徴とする白バランス調整用コンピュータ。
【考案の詳細な説明】
【技術分野】
【０００１】
本考案は、複数の種類の信号で明るさおよび色を表す複数の種類の映像信号を選択的に入力して映像を表示するテレビジョンの白バランスを調整するテレビジョン調整システム、テレビジョンおよび白バランス調整用コンピュータに関する。
【背景技術】
【０００２】
従来、テレビジョンは、コンポジット映像信号とコンポーネント映像信号とを選択的に入力して映像を表示している。ここで、コンポジット映像信号は、輝度信号（Ｙ）と複数の色差信号（ＵＶ、ＣｂＣｒ、等）とが合成されて一つの信号とされたものである。なお、本明細書において、コンポジット映像信号には、コンポジット映像入力端子から入力される信号（ＶＩＤＥＯ信号等と呼ばれる）の他、ＲＦ信号入力部から入力される信号（ＲＦ信号等と呼ばれる）等も含まれるものとする。一方、コンポーネント映像信号は、輝度信号と色差信号とが分離されて別々とされた信号である。
テレビジョンには、クロマＩＣを中心とするクロマ回路が設けられている。同クロマ回路は、入力した輝度信号と色差信号とからＲＧＢ信号（Ｒ信号とＧ信号とＢ信号）等の三原色別の色信号を生成する回路である。生成されたＲＧＢ信号が公知の映像出力回路を介して受像管に供給されると、対応する映像が表示される。
【０００３】
上記クロマＩＣは、メモリを有する制御回路を内蔵しており、コンポジット映像信号に基づく映像の白バランス（ホワイトバランス）を調整するドライブ調整値やカットオフ調整値（白バランス調整値）を入力してメモリに保持し、保持したドライブ調整値に基づいて色差信号のそれぞれのドライブ（Drive）を調整したり、カットオフ調整値に基づいてＲＧＢ信号のそれぞれのカットオフ（Cut Off）を調整したりする処理を行っている。これらの白バランス調整値は、テレビジョン別に設けられている。各テレビジョンは、ＥＥＰＲＯＭを有しており、白バランス調整値を入力してＥＥＰＲＯＭに記憶することが可能となっている。そして、クロマＩＣに対して同白バランス調整値を出力することにより、クロマ回路にて色差信号やＲＧＢ信号に対して白バランス調整値に応じた調整量の調整処理を行い、コンポジット映像信号に基づく映像に合わせて白バランスが調整された映像を表示する。
【０００４】
上記テレビジョンの生産工場では、テレビジョンの白バランスを調整する作業が行われている。この作業を行うためのテレビジョン調整システムは、テレビジョンと、信号発生回路と、カラーアナライザと、白バランス調整用コンピュータとから構成される。
信号処理回路は、テレビジョンのコンポジット映像入力端子またはＲＦ信号入力部に接続されて、白バランス調整値を決定するための基準のコンポジット映像信号を生成してテレビジョンに対して出力する回路である。カラーアナライザは、テレビジョンにて表示される映像の色成分量を検出し、対応する色成分値を出力することが可能な色分析装置である。
【０００５】
基準のコンポジット映像信号がテレビジョンに入力されている状態において、カラーアナライザは、テレビジョンの表示映像の色成分量を検出し、対応する色成分値（例えばCIE規格のｘｙ色度に対応した値）を出力する。工場の作業者は、出力された色成分値を視認して、対象のテレビジョンの白バランスが調整されるような白バランス調整値を白バランス調整用コンピュータに操作入力している。同コンピュータは、テレビジョンに接続されており、白バランス調整値をテレビジョンに対して出力する。すると、テレビジョンは、内蔵するマイコンの制御により白バランス調整値を入手してＥＥＰＲＯＭに記憶させるようになっている。
ここで、白バランス調整値はコンポジット映像信号に基づく映像の白バランスを調整する調整値であるため、コンポジット映像信号が入力されたテレビジョンでは白バランスが調整された映像が表示される。
【考案の開示】
【考案が解決しようとする課題】
【０００６】
上述した従来の技術においては、次のような課題があった。
すなわち、テレビジョンはコンポーネント映像信号が入力されても、コンポジット映像信号に基づく映像の白バランスを調整する白バランス調整値に基づいてコンポーネント映像信号に基づく映像の白バランスを調整するため、同コンポーネント映像信号に基づく映像の白バランスが十分に調整されていないことがあった。その結果、コンポジット映像信号を入力したときの映像の白バランスと、コンポーネント映像信号を入力したときの映像の白バランスと、の差異が目立ってしまうことがあった。また、コンポーネント映像信号の信号ラインに接続された抵抗回路の抵抗値を変えることによって両映像信号による映像の白バランスの差異を少なくすることも考えられるが、抵抗値を変える作業は面倒であるため、調整作業に時間がかかるすぎる問題がある。
なお、特開平９−１３０８１５号公報に開示された技術も知られているが、画像データから彩度情報Ｕ，Ｖを抽出して平均値Ｕａ，Ｖａを求め、同平均値Ｕａ，Ｖａを差し引くホワイトバランス処理を行って画像データの圧縮・展開処理を行うものであり、上記両映像信号を入力して比較したときの映像の白バランスの差異を少なくさせるという課題を解決することはできない。
【０００７】
本考案は、上記課題にかんがみてなされたもので、コンポジット映像信号とコンポーネント映像信号といった、複数の種類の映像信号をテレビジョンに選択的に入力したときに、これらの映像信号に基づく映像の白バランスの差異を少なくさせることが可能なテレビジョン調整システム、テレビジョンおよび白バランス調整用コンピュータの提供を目的とする。
【課題を解決するための手段】
【０００８】
上記目的を達成するため、請求項１にかかる考案では、上記テレビジョンは、輝度信号と色差信号とが合成されたコンポジット映像信号と、輝度信号と色差信号とが分離されたコンポーネント映像信号と、を選択的に入力する。そして、内蔵するクロマ回路にて同入力した輝度信号と色差信号とから三原色別の色信号を生成し、生成した三原色別の色信号に基づいて映像を表示する。
上記信号発生回路から基準のコンポジット映像信号がテレビジョンに対して出力されると、テレビジョンは同信号を入力して基準の映像を表示する。すると、カラーアナライザにより、表示された基準の映像から色成分量が検出され、対応する第一の色成分値が出力される。また、上記信号発生回路から基準のコンポーネント映像信号がテレビジョンに対して出力されると、テレビジョンは同信号を入力して基準の映像を表示する。すると、カラーアナライザにより、表示された基準の映像から色成分量が検出され、対応する第二の色成分値が出力される。
【０００９】
上記白バランス調整用コンピュータは、信号発生回路から基準のコンポジット映像信号が出力されている状態においてカラーアナライザから出力される第一の色成分値を取得し、当該第一の色成分値に基づいてテレビジョン別の白バランス調整値を決定してテレビジョンに対して出力する。すると、テレビジョンは、決定された白バランス調整値を入力してＥＥＰＲＯＭに記憶する。
また、白バランス調整用コンピュータは、信号発生回路から基準のコンポーネント映像信号が出力されている状態においてカラーアナライザから出力される第二の色成分値を取得する。ここで、取得した第一の色成分値と第二の色成分値との差が所定範囲内となるまで、第二の色成分値に基づいてテレビジョン別のコンポーネント用調整値を算出してテレビジョンに対して出力した後にカラーアナライザから第二の色成分値を取得する処理を繰り返し行う。すると、テレビジョンは、決定されたコンポーネント用調整値を入力してＥＥＰＲＯＭに記憶する。
上記処理により、白バランス調整用コンピュータは、コンポーネント映像信号に基づく映像（以下、コンポーネントの映像とも記載）の白バランスを、コンポジット映像信号に基づく映像（以下、コンポジットの映像とも記載）の白バランスに合わせる。
【００１０】
上記テレビジョンは、記憶した白バランス調整値をクロマ回路に対して出力することにより、クロマ回路にて、色差信号に対して、三原色別の色信号に対して、または、色差信号と三原色別の色信号とに対して、白バランス調整値に応じた調整量の調整処理を行う。白バランス調整値は、コンポジットの映像の白バランスを調整可能とする値である。すると、テレビジョンは、コンポジットの映像に合わせて白バランスが調整された映像を表示することができる。
上記ＥＥＰＲＯＭには、コンポーネントの映像の白バランスを調整するコンポーネント用調整値も記憶されている。テレビジョンは、コンポーネント映像信号を入力すると、記憶したコンポーネント用調整値をクロマ回路に対して出力することにより、クロマ回路にて、色差信号に対して、三原色別の色信号に対して、または、色差信号と三原色別の色信号とに対して、コンポーネント用調整値に応じた調整量の調整処理を行う。コンポーネント用調整値は、コンポーネントの映像の白バランスを調整可能とする値である。すると、テレビジョンは、コンポーネントの映像に合わせて白バランスが調整された映像を表示することができる。
【００１１】
このように、コンポジットの映像の白バランスのみならず、コンポーネントの映像の白バランスも十分に調整することができるので、両映像信号を入力して比較したときの映像の白バランスの差異を少なくさせたテレビジョンを提供することができる。また、白バランス調整値やコンポーネント用調整値はテレビジョン別に設けられているので、コンポジットの映像やコンポーネントの映像の白バランスをテレビジョン毎に調整することができ、両映像信号を入力して比較したときの映像の白バランスの差異を確実に少なくさせることができる。その際、コンポーネント用調整値が自動的に設定されるので、テレビジョンに対して抵抗回路の抵抗値を変えるといった面倒な調整作業を行う必要はなく、テレビジョンの白バランスの調整作業を軽減させることができ、ひいてはテレビジョンの量産性を向上させることができる。
なお、白バランス調整用コンピュータが調整値をテレビジョンに対して出力する際には、バッファアンプ等を介して出力するようにしてもよい。
【００１２】
ところで、複数の種類の信号で明るさおよび色を表す複数の映像信号を選択的に入力して映像を表示するテレビジョンにも、本考案を適用することが可能である。そこで、請求項２にかかる考案は、複数の種類の信号で明るさおよび色を表す第一および第二の映像信号を選択的に入力して入力した映像信号に基づいて映像を表示する際、不揮発性メモリに記憶されているとともに同第一の映像信号に基づく映像の白バランスを調整する調整値に応じた調整量の調整処理を行って同第一の映像信号に基づく映像に合わせて白バランスが調整された映像を表示可能なテレビジョンと、このテレビジョンに対して映像の白バランス調整を行う調整手段とを備えるテレビジョン調整システムであって、上記テレビジョンは、上記第二の映像信号に基づく映像の白バランスを調整する第二調整値を入力して上記不揮発性メモリに記憶可能であるとともに、上記第二の映像信号を入力したとき、同第二の映像信号に基づいて映像を表示する際に上記不揮発性メモリに記憶された第二調整値に応じた調整量の調整処理を行って同第二の映像信号に合わせて白バランスが調整された映像を表示し、上記調整手段は、上記第一の映像信号の基準信号を上記テレビジョンに対して出力している状態において同テレビジョンにて表示される映像の色成分量を検出して対応する第一の色成分値を取得するとともに、上記第二の映像信号の基準信号を上記テレビジョンに対して出力している状態において同テレビジョンにて表示される映像の色成分量を検出して対応する第二の色成分値を取得し、取得した第一および第二の色成分値に基づいて上記第二の映像信号に基づく映像の白バランスを上記第一の映像信号に基づく映像の白バランスに合わせるように上記第二調整値を決定して上記テレビジョンに対して出力することにより上記白バランス調整を行う構成としてある。
【００１３】
上記テレビジョンは、複数の種類の信号で明るさおよび色を表す第一の映像信号と、同じく複数の種類の信号で明るさおよび色を表す第二の映像信号と、を選択的に入力し、入力した映像信号に基づいて映像を表示する。
上記調整手段から第一の映像信号の基準信号がテレビジョンに対して出力されると、テレビジョンは同基準信号を入力して基準の映像を表示する。すると、調整手段により、表示された基準の映像から色成分量が検出され、対応する第一の色成分値が取得される。また、上記調整手段から第二の映像信号の基準信号がテレビジョンに対して出力されると、テレビジョンは同基準信号を入力して基準の映像を表示する。すると、調整手段により、表示された基準の映像から色成分量が検出され、対応する第二の色成分値が取得される。取得された第一の色成分値と第二の色成分値とに基づいて、第二の映像信号に基づく映像の白バランスが第一の映像信号に基づく映像の白バランスに合うように第二調整値が決定される。決定された第二調整値は、テレビジョンに対して出力される。すると、テレビジョンは、決定された第二調整値を入力して不揮発性メモリに記憶する。
【００１４】
上記テレビジョンは、不揮発性メモリに記憶された調整値に応じた調整量の調整処理を行う。この調整値は、第一の映像信号に基づく映像の白バランスを調整可能とする値である。すると、テレビジョンは、第一の映像信号に基づく映像に合わせて白バランスが調整された映像を表示することができる。
上記不揮発性メモリには、第二の映像信号に基づく映像の白バランスを調整する第二調整値も記憶されている。テレビジョンは、第二の映像信号を入力すると、不揮発性メモリに記憶された第二調整値に応じた調整量の調整処理を行う。この第二調整値は、第二の映像信号に基づく映像の白バランスを調整可能とする値である。すると、テレビジョンは、第二の映像信号に基づく映像に合わせて白バランスが調整された映像を表示することができる。
【００１５】
このように、第一の映像信号に基づく映像の白バランスのみならず、第二の映像信号に基づく映像の白バランスも十分に調整することができるので、両映像信号を入力して比較したときの映像の白バランスの差異を少なくさせたテレビジョンを提供することができる。その際、第二調整値が自動的に設定されるので、テレビジョンに対して抵抗回路の抵抗値を変えるといった面倒な調整作業を行う必要はない。
【００１６】
ここで、映像信号は、外部機器から信号ケーブルを介して入力される信号のみならず、放送電波とされた信号であってもよい。テレビジョンは、複数の種類の映像信号を入力して映像を表示可能であればよく、第一の映像信号が二種類以上あってもよいし、第二の映像信号が二種類以上あってもよい。
本考案が適用されるテレビジョンは、単独の装置であってもよいし、ビデオデッキやＤＶＤデッキとテレビジョンとが一体となった装置等、他の機器に付属した装置や他の機器と一体となった装置であってもよい。
上記色成分値は、テレビジョンにて表示される映像の色成分量に対応する値であればよく、様々な規格の値とすることができる。例えば、CIE（国際照明委員会）規格におけるｘｙ色度に対応した値を色成分値とすると、より正確に白バランスを調整することができる。
【００１７】
ところで、上記テレビジョン単独でも、両映像信号を入力して比較したときの映像の白バランスの差異を少なくさせる効果が得られる。そこで、請求項３にかかる考案は、複数の種類の信号で明るさおよび色を表す第一および第二の映像信号を選択的に入力して入力した映像信号に基づいて映像を表示する際、不揮発性メモリに記憶されているとともに同第一の映像信号に基づく映像の白バランスを調整する調整値に応じた調整量の調整処理を行って同第一の映像信号に基づく映像に合わせて白バランスが調整された映像を表示可能なテレビジョンであって、上記不揮発性メモリは、上記第二の映像信号に基づく映像の白バランスを調整する第二調整値を記憶し、上記第二の映像信号を入力したとき、同第二の映像信号に基づいて映像を表示する際に上記不揮発性メモリに記憶された第二調整値に応じた調整量の調整処理を行って同第二の映像信号に合わせて白バランスが調整された映像を表示する構成としてある。
【００１８】
上記明るさおよび色を表す複数の種類の信号は、様々な構成が考えられる。簡易な構成として、明るさを表す信号と、色を表す信号とから構成してもよい。ここで、明るさを表す信号は、輝度信号、明度信号、等、様々な信号が考えられる。また、色を表す信号は、色差信号、原色信号、等、様々な信号が考えられる。
上記輝度信号と色差信号とを利用した構成例として、請求項４にかかる考案のように、上記第一および第二の映像信号のうち一方の映像信号は、輝度信号と色差信号とが合成されたコンポジット映像信号であり、他方の映像信号は、輝度信号と色差信号とが分離されたコンポーネント映像信号である構成としてもよい。すると、映像信号の具体的で簡易な構成例を提供することができる。
【００１９】
本テレビジョンが輝度信号と色差信号とから三原色別の色信号を生成して当該三原色別の色信号に基づいて映像を表示する場合、請求項５にかかる考案のように、上記第二調整値には、少なくとも上記三原色別の色信号のそれぞれに対するカットオフの調整量を表すカットオフ調整値が含まれ、本テレビジョンは、上記三原色別の色信号のそれぞれに対して上記不揮発性メモリに記憶されたカットオフ調整値に応じた調整量の調整処理を行って上記第二の映像信号に合わせて白バランスが調整された映像を表示する構成としてもよい。三原色別の色信号のそれぞれに対するカットオフは白バランスに影響を与えるので、簡易な構成でカットオフを調整して第二の映像信号に基づく映像の白バランスを調整することができる。
【００２０】
また、請求項６にかかる考案のように、上記第二調整値には、少なくとも上記色差信号に対するドライブの調整量を表すドライブ調整値が含まれ、本テレビジョンは、上記色差信号に対して上記不揮発性メモリに記憶されたドライブ調整値に応じた調整量の調整処理を行って上記第二の映像信号に合わせて白バランスが調整された映像を表示する構成としてもよい。色差信号に対するドライブも白バランスに影響を与えるので、簡易な構成でドライブを調整して第二の映像信号に基づく映像の白バランスを調整することができる。
【００２１】
上記不揮発性メモリは、記憶するデータを書き換え可能なメモリとされ、上記調整値と第二調整値とを入力して上記不揮発性メモリに記憶可能とされている構成としてもよい。調整値や第二調整値を不揮発性メモリに書き込むだけで、テレビジョンに記憶させる調整値や第二調整値を変更することができるので、調整値や第二調整値の更新が容易になる。
【００２２】
さらに、上記不揮発性メモリは、ＥＥＰＲＯＭであり、上記第二調整値は、本テレビジョン別に設けられて上記ＥＥＰＲＯＭに記憶される構成としてもよい。同第二調整値により第二の映像信号に基づく映像の白バランスをテレビジョン毎に調整することができるので、両映像信号を入力して比較したときの映像の白バランスの差異をより少なくさせることができる。
【００２３】
ところで、本テレビジョンの具体例として、請求項９にかかる考案のように構成してもよい。
また、上記テレビジョンに対して映像の白バランスを調整するコンピュータは、単独でも、テレビジョンに対して両映像信号を入力して比較したときの映像の白バランスの差異を少なくさせる効果が得られる。そこで、請求項１０にかかる考案のように構成してもよい。すなわち、白バランス調整用コンピュータのみであっても本考案は有効である。また、請求項１に記載されたシステム構成を当該コンピュータに対応させることができるし、請求項３〜請求項９に記載されたテレビジョンに対して白バランスを調整する白バランス調整用コンピュータを構成することも可能である。
【考案の効果】
【００２４】
以上説明したように、請求項１にかかる考案によれば、テレビジョンに対して面倒な調整作業を行う必要がなく、コンポジット映像信号のみならずコンポーネント映像信号に基づく映像の白バランスも十分に調整することができ、両映像信号を入力して比較したときの映像の白バランスの差異を確実に少なくさせることが可能となる。
請求項２、請求項１０にかかる考案によれば、テレビジョンに対して面倒な調整作業を行う必要がなく、第一の映像信号のみならず第二の映像信号に基づく映像の白バランスも十分に調整することができ、複数の種類の映像信号を入力して比較したときの映像の白バランスの差異を少なくさせることが可能となる。
請求項３にかかる考案によれば、第一の映像信号のみならず第二の映像信号に基づく映像の白バランスも十分に調整することができ、複数の種類の映像信号を入力して比較したときの映像の白バランスの差異を少なくさせることが可能となる。
【００２５】
請求項４にかかる考案によれば、本テレビジョンの具体的で簡易な構成例を提供することが可能となる。
請求項５にかかる考案によれば、簡易な構成でカットオフを調整して第二の映像信号に基づく映像の白バランスを確実に調整することが可能となる。
請求項６にかかる考案によれば、簡易な構成でドライブを調整して第二の映像信号に基づく映像の白バランスをより確実に調整することが可能となる。
【００２６】
請求項７にかかる考案によれば、調整値や第二調整値の更新を容易にさせることができる。
請求項８にかかる考案によれば、不揮発性メモリを汎用的な部品で簡易に構成することができるとともに、両映像信号を入力して比較したときの映像の白バランスの差異をより少なくさせることが可能となる。
請求項９にかかる考案によれば、コンポジット映像信号のみならずコンポーネント映像信号に基づく映像の白バランスも十分に調整することができ、両映像信号を入力して比較したときの映像の白バランスの差異を少なくさせることが可能となる。
【考案を実施するための最良の形態】
【００２７】
以下、下記の順序に従って本考案の実施の形態について説明する。
（１）テレビジョン調整システムの構成：
（２）信号発生回路の構成：
（３）カラーアナライザの構成：
（４）白バランス調整用コンピュータの構成：
（５）白バランス調整処理：
（６）テレビジョンの動作：
【００２８】
（１）テレビジョン調整システムの構成：
図１は、本考案にかかるテレビジョン調整システム１０の一例の概略構成を示したシステム構成図である。本システム１０は、テレビジョン（以下、ＴＶとも記載）１００、信号発生回路２０、カラーアナライザ（色分析手段）３０、白バランス調整用コンピュータ（以下、ＰＣとも記載）４０、を備えている。白バランス調整の対象となるＴＶ１００は、所定の信号ケーブル２８，２９を介して信号発生回路２０に接続されるとともに、別の所定の信号ケーブル４９を介してＰＣ４０に接続されている。また、ＰＣ４０に所定のシリアルデータケーブル３９を介して接続されたカラーアナライザ３０は、ＴＶ１００の受像管面に映出される試験用のカラーパターンを検出するセンサとして「LOW LIGHT」調整用プローブ３０ａと、「HIGH LIGHT」調整用プローブ３０ｂを備えている。
【００２９】
ＴＶ１００は、図２に示す各部１０１，１０２，１１０，１１９，１２０，１２１，１３０，１５０，１６１〜１６７，１７１，１７２，１８１〜１８４、等から構成されている。ＩＩＣバス１０１には、マイコン１１０、公知のチューナＩＣを中心としたチューナ回路１２０、クロマＩＣを中心とした映像増幅・クロマ回路１３０、ＥＥＰＲＯＭ（記憶するデータを書き換え可能な不揮発性メモリ）１５０、ＩＩＣバスデータポート１０２、等が接続されている。これらの回路は互いにバス１０１を介してシリアルデータを送受信する。チューナ回路１２０と映像増幅・クロマ回路１３０は、別の信号線を介して直接マイコン１１０に接続されており、マイコン１１０から同信号線を介して入力される信号に基づく制御により動作するようになっている。
マイコン１１０は、操作パネル１１９や図示しないリモコン信号受光部が直接接続されており、操作パネル１１９等への操作入力に対応するデータを同操作パネル１１９等から入力可能とされている。また、マイコン１１０は、内部のバスに接続されたＣＰＵ１１１、ＲＯＭ１１２、ＲＡＭ１１３、複数のＩ／Ｏ１１４、図示しないタイマ回路、等を備えている。そして、ＣＰＵ１１１がＲＯＭ１１２やＥＥＰＲＯＭ１５０に書き込まれた内部回路制御用のプログラムに従ってＴＶ１００全体を制御することにより、ＴＶとしての機能を実現している。
【００３０】
映像増幅・クロマ回路１３０には、チューナ回路１２０からの中間周波信号（ＩＦ）、コンポジット映像入力端子１８１からのコンポジット映像信号（輝度信号と色差信号とが合成された映像信号、ＶＩＤＥＯ信号と呼ばれる）、三つのコンポーネント映像入力端子１８２〜１８４からのコンポーネント映像信号（輝度信号と色差信号とが分離された映像信号、ＹＵＶ信号と呼ばれる）、のいずれかが入力されるようになっている。両映像信号は複数の種類の信号で明るさおよび色を表す映像信号であり、本実施形態では、コンポジット映像信号を第一の映像信号とし、コンポーネント映像信号を第二の映像信号として説明する。本ＴＶは、輝度信号Ｙと青の色差信号Ｕと赤の色差信号Ｖからなるコンポーネント映像信号を入力して映像を表示することが可能であるが、輝度信号Ｙと青の色差信号Ｃｂと赤の色差信号Ｃｒからなるコンポーネント映像信号等を入力して映像を表示するものであってもよい。
同映像増幅・クロマ回路１３０は、映像出力回路１６１に対してＲ（赤）、Ｇ（緑）、Ｂ（青）別のＲＧＢ信号（三原色別の色信号）を出力し、垂直偏向回路１６３に対して垂直ドライブ信号を出力し、水平偏向回路１６４に対して水平ドライブ信号を出力し、公知の音声アンプＩＣを中心とした低周波出力回路１７１に対して音声信号を出力するようになっている。映像出力回路１６１には、偏向コイル１６５，１６６が装着された受像管（ＣＲＴ）１６２が接続されている。垂直偏向回路１６３には、垂直偏向コイル１６５が接続されている。水平偏向回路１６４には、水平偏向コイル１６６と、公知のフライバックトランス（ＦＢＴ）を中心とした高圧回路１６７とが接続されている。同高圧回路１６７には、受像管１６２が接続されている。低周波出力回路１７１には、スピーカ１７２が接続されている。
【００３１】
チューナ回路１２０は、公知の回路であり、アンテナ１２１から所定の放送方式によるＴＶ信号（テレビジョン信号）を入力して中間周波信号を作成して出力することが可能である。所定の放送方式にはＰＡＬ方式、ＳＥＣＡＭ方式、ＮＴＳＣ方式等があり、チューナ回路は複数の種類の放送方式のＴＶ信号を入力して中間周波信号を生成する回路であってもよい。本回路１２０はいわゆる周波数シンセサイザ方式のチューナを内蔵しており、図示しない高周波増幅回路、局部発振回路、混合回路等を備えている。むろん、電圧シンセサイザ方式等であってもよい。
【００３２】
映像増幅・クロマ回路１３０は、図３に示す各部１３１〜１４６等から構成されている。本明細書では、１３４〜１３７が映像増幅回路であり、１３９〜１４６がクロマ回路である。同回路１３０は、外付けの抵抗回路やコンデンサ等を除いてクロマＩＣと呼ばれる１チップＩＣとされている。
制御回路１３１は、内部のバスに接続されたＣＰＵ１３１ａ、メモリ１３１ｂ、複数のＩ／Ｏ１３１ｃ、等を備えたマイコンである。そして、ＣＰＵ１３１ａがメモリ１３１ｂに書き込まれた内部回路制御用のプログラムに従って、回路１３０全体を制御している。なお、外部のマイコン１１０からバス１０１を介してカットオフ・ドライブ調整値（カットオフ調整値とドライブ調整値）を入力して、メモリに１３１ｂに保持することが可能となっている。
【００３３】
中間周波増幅回路（ＶＩＦ）１３２は、チューナ回路１２０からの中間周波信号を入力し、同中間周波信号を中間周波増幅し、検波回路１３３に出力する公知の回路である。検波回路１３３は、図示しないＶＣＯ（Voltage Controled Oscillator）回路からの発振信号を入力しながら中間周波増幅された中間周波信号から映像検波を行い、合成映像信号を生成して第１映像増幅回路１３４に出力する公知の回路である。また、音声の信号については、中間周波増幅された中間周波信号のうち音声成分と発振信号とを混合して例えば４．５ＭＨｚの第二音声中間周波信号を生成する。第二音声中間周波信号は、図示しないＦＭ検波回路に入力されてＦＭ検波され、音声信号とされて外部の低周波出力回路１７１に対して出力される。
【００３４】
第１映像増幅回路１３４は、入力される合成映像信号を、輝度信号（Ｙ）、搬送色・バースト信号、同期信号に分離し、それぞれ、第２映像増幅回路１３５、帯域増幅回路１３９、同期回路１３８に対して出力する。なお、搬送色・バースト信号は、搬送色信号とバースト信号（カラーバースト信号とも呼ばれる）とが合成された信号である。また、同回路１３４は、コンポジット映像信号を入力して輝度信号と搬送色・バースト信号と同期信号に分離し、回路１３５，１３９，１３８に対して出力することも可能である。
分離された輝度信号は、第２映像増幅回路１３５、遅延回路１３６、第３映像増幅回路１３７を経て増幅され、マトリックス回路１４３に入力される。第２映像増幅回路１３５は、コンポーネント映像信号を構成する輝度信号[Ｙ]を入力し、増幅して遅延回路１３６に対して出力することも可能である。
同期回路１３８は、入力される同期信号からのこぎり波状の垂直ドライブ信号と、のこぎり波状の水平ドライブ信号を生成し、それぞれ、外部の垂直偏向回路１６３、外部の水平偏向回路１６４に対して出力する公知の回路である。
【００３５】
帯域増幅回路１３９は、入力される搬送色・バースト信号を、搬送色信号と、バースト信号とに分離し、それぞれ、復調回路１４１、色同期回路１４０に対して出力する公知の回路である。色同期回路１４０は、入力されるバースト信号から副搬送波を復元し、復調回路１４１に対して出力する公知の回路である。復調回路１４１は、入力される副搬送波を基準としながら、入力される搬送色信号から、二種類の色差信号R-Y,B-Yを取り出し、ドライブ調整回路１４２に対して出力する。また、復調回路１４１は、コンポーネント映像信号を構成する二種類の色差信号[Ｖ]，[Ｕ]を入力し、色差信号R-Y,B-Yとしてドライブ調整回路１４２に対して出力することも可能である。
ドライブ調整回路１４２は、例えば利得制御増幅器を中心とした回路で構成され、入力される色差信号R-Y,B-Yのそれぞれに対して設けられている。各ドライブ調整回路１４２には、それぞれ別とされたＤ／Ａ変換回路１４５（図ではまとめて示している）が接続されている。各Ｄ／Ａ変換回路１４５は、制御回路１３１に接続されている。各ドライブ調整回路１４２は、各Ｄ／Ａ変換回路１４５の出力電圧に応じて各色差信号R-Y,B-Yのドライブを調整し、マトリックス回路１４３に対して出力する。
【００３６】
マトリックス回路１４３は、入力される輝度信号Ｙと色差信号R-Y,B-Yとを組み合わせて三原色別の三種類の色信号であるＲ信号、Ｇ信号、Ｂ信号（色信号Ｒ，Ｇ，Ｂとも記載）を生成し、カットオフ調整回路１４４に対して出力する。ＰＡＬ方式やＳＥＣＡＭ方式のＴＶ信号に基づいて映像を表示する場合、マトリックス回路１４３には規格化されたＹＵＶ信号が入力され、例えば以下の変換式に合うように信号を変換する。
Ｒ ＝ Ｙ＋１．１４０Ｖ
Ｇ ＝ Ｙ−０．３９６Ｕ−０．５８１Ｖ
Ｂ ＝ Ｙ＋２．０２９Ｕ
ここで、Ｙ成分(輝度)は、CIE1931XYZに従う値としている。
むろん、ＮＴＳＣ方式等のＴＶ信号に基づいて映像を表示する場合、マトリックス回路には規格化されたＹＣｂＣｒ信号を色信号Ｒ，Ｇ，Ｂに変換する回路を用いればよい。
【００３７】
カットオフ調整回路１４４は、例えば信号に正はたは負の直流電圧を加えるクランプ回路を中心とした回路で構成され、入力される色信号Ｒ，Ｇ，Ｂのそれぞれに対して設けられている。各カットオフ調整回路１４４には、それぞれ別とされたＤ／Ａ変換回路１４６（図ではまとめて示している）が接続されている。各Ｄ／Ａ変換回路１４６は、制御回路１３１に接続されている。各カットオフ調整回路１４４は、各Ｄ／Ａ変換回路１４６の出力電圧に応じて各色信号Ｒ，Ｇ，Ｂのカットオフを調整し、外部の映像出力回路１６１に対して出力する。より具体的には、Ｄ／Ａ変換回路１４６の出力電圧にほぼ比例した直流電圧を加えている。
【００３８】
図４は、映像出力回路１６１と受像管１６２の要部を示す回路図である。図の映像出力回路では、色信号Ｒを増幅して受像管１６２のカソード１６２ａに供給するＲ用の回路のみを示しており、色信号Ｇ，Ｂを増幅して受像管１６２のカソードに供給する回路は前記Ｒ用の回路と同じ構成とすることができるため図示を省略している。同Ｒ用の回路は、ｎｐｎ形トランジスタＴＲ１、抵抗素子Ｒ１〜Ｒ６、コンデンサＣ１を備えている。トランジスタＴＲ１のコレクタは、抵抗素子Ｒ２の一端と、抵抗素子Ｒ３の一端に接続されている。同抵抗素子Ｒ２の他端は例えば１００〜２００Ｖの電圧Ｅ１の電源ラインに接続され、同抵抗素子Ｒ３の他端はカソード１６２ａに接続されている。トランジスタＴＲ１のエミッタは、コンデンサＣ１の一端と、抵抗素子Ｒ４の一端と、抵抗素子Ｒ５の一端に接続されている。コンデンサＣ１の他端は抵抗素子Ｒ６の一端に接続され、同抵抗素子Ｒ６の他端はグランドに接続されている。同抵抗素子Ｒ４の他端は例えば７〜１４Ｖの電圧Ｅ２の電源ラインに接続され、同抵抗素子Ｒ５の他端はグランドに接続されている。
抵抗素子Ｒ１を介してトランジスタＴＲ１のベースに入力される色信号Ｒは、トランジスタＴＲ１により増幅され、抵抗素子Ｒ３を介して増幅後の色信号Ｒがカソード１６２ａに対して出力される。色信号Ｇ，Ｂに対しても、同様にしてｎｐｎ形トランジスタにより増幅され、受像管１６２における色信号別のカソードに対して出力される。
【００３９】
図２において、偏向回路１６３，１６４は、それぞれ入力される垂直、水平ドライブ信号に対応する垂直、水平ドライブ電流を生成し、偏向コイル１６５，１６６に供給する。すると、同コイル１６５，１６６は受像管１６２内に磁界を発生させ、カソードから受像管１６２の管面に向かう熱電子をそれぞれ垂直、水平方向にドライブさせる。また、水平偏向回路１６４は、生成した高周波信号を高圧回路１６７に対して出力する。高圧回路１６７は、入力される高周波信号を用いて高電圧を生成し、受像管１６２のアノードに供給する。その結果、受像管１６２では、増幅された色信号Ｒ，Ｇ，Ｂに応じた電子ビームがドライブされながら放出され、管面に映像が表示される。
音声信号については、低周波出力回路１７１に入力されて増幅され、スピーカ１７２に入力されて、対応する音声が出力される。
【００４０】
図５は、コンポジット映像信号を入力して映像を表示するコンポジットモードか、コンポーネント映像信号を入力して映像を表示するコンポーネントモードか、を切り替える回路を示している。第１映像増幅回路１３４にスイッチ回路ＳＷ１が設けられ、復調回路１４１に二つのスイッチ回路ＳＷ２，ＳＷ３が設けられている。スイッチ回路ＳＷ１〜ＳＷ３のそれぞれは、制御回路１３１のＩ／Ｏ１３１ｃ１〜３（１３１ｃ）に接続されている。各スイッチ回路ＳＷ１〜ＳＷ３は、二つの入力部（図の左側）と一つの出力部（図の右側）を有するとともに入力される電圧レベルに応じて入力部を切り替えるＩＣである。同回路ＳＷ１〜ＳＷ３は、同電圧レベルがハイレベル（以下、Ｈと記載）であるとき図の上側の入力部から分離後の映像信号を入力して出力部より出力し（コンポジットモードに相当）、同電圧レベルがローレベル（以下、Ｌと記載）であるとき図の下側の入力部からコンポーネント映像信号を入力して出力部より出力する（コンポーネントモードに相当）。
【００４１】
なお、コンポーネント映像入力端子１８２〜１８４とスイッチ回路ＳＷ１〜ＳＷ３との間にそれぞれ抵抗素子Ｒ１１，Ｒ１３，Ｒ１５が接続され、同抵抗素子Ｒ１１，Ｒ１３，Ｒ１５におけるスイッチ回路ＳＷ１〜ＳＷ３側の一端とグランドとの間に抵抗素子Ｒ１２，Ｒ１４，Ｒ１６が接続されている。従って、輝度信号Ｙは抵抗素子Ｒ１１を通過した輝度信号（[Ｙ]と記載）がスイッチ回路ＳＷ１の入力部に入力され、コンポジット映像信号に由来する輝度信号Ｙとのいずれかが選択されて、最終的に第２映像増幅回路１３５に対して出力される。また、色差信号Ｖ，Ｕは抵抗素子Ｒ１３，Ｒ１５を通過した色差信号（[Ｖ]，[Ｕ]と記載する）がスイッチ回路ＳＷ２，ＳＷ３の入力部に入力され、コンポジット映像信号に由来する色差信号Ｖ，Ｕとのいずれかが選択されて、最終的に復調回路１４１に対して色差信号R-Y,B-Yが出力される。
【００４２】
制御回路１３１は、ＥＥＰＲＯＭ１５０に記憶されたカットオフ・ドライブ調整値を外部のマイコン１１０から入力して保持する。同カットオフ・ドライブ調整値は、デジタルの値であり、例えば８ビットで表現される０〜２５５の２５６階調で表現される。そして、Ｄ／Ａ変換回路１４５，１４６に対してそれぞれデジタルのドライブ調整値、カットオフ調整値を出力することにより、調整回路１４２，１４４に対してドライブ、カットオフを調整するアナログの電圧を出力する。従って、マイコン１１０からの指示によって、制御回路１３１がカットオフ・ドライブ調整値に応じた調整量の調整処理を行い、映像の白バランスを調整することができる。
【００４３】
以上の構成により、コンポジット映像信号およびコンポーネント映像信号を選択的に入力する本ＴＶは、内蔵するクロマ回路にて輝度信号Ｙと色差信号Ｖ，Ｕとから三原色別の色信号Ｒ，Ｇ，Ｂを生成し、生成した色信号Ｒ，Ｇ，Ｂに基づいて映像を表示する。その際、クロマ回路にて、色差信号R-Y,B-Yと色信号Ｒ，Ｇ，Ｂに対してＥＥＰＲＯＭに記憶されたカットオフ・ドライブ調整値に応じた調整量の調整処理を行う。
【００４４】
ところで、従来は図６に示すように、コンポジットの映像（コンポジット映像信号に基づく映像）の白バランスを調整可能とする５種類の白バランス調整値のみをＥＥＰＲＯＭに記憶していた。より具体的には、色信号Ｒのカットオフを調整するＲ用カットオフ調整値、色信号Ｇのカットオフを調整するＧ用カットオフ調整値、色信号Ｂのカットオフを調整するＢ用カットオフ調整値、色差信号R-Yのドライブを調整するR-Y用ドライブ調整値、色差信号B-Yのドライブを調整するB-Y用ドライブ調整値、の５種類を、ＴＶ別に設定してＥＥＰＲＯＭの所定のデータ領域に書き込んでいた。
【００４５】
上記白バランス調整値はコンポジットの映像の白バランスを調整するコンポジット用の調整値であるため、白バランス調整値を用いた調整処理によりコンポジットの映像に合わせて白バランスが調整された映像が表示される。すなわち、ＴＶはコンポーネント映像信号が入力されても、コンポジットの映像の白バランスを調整するように白バランスを調整するため、コンポーネントの映像（コンポーネント映像信号に基づく映像）の白バランスが十分に調整されていないことがあった。その結果、コンポジット映像信号を入力したときの映像の白バランスと、コンポーネント映像信号を入力したときの映像の白バランスと、の差異が目立ってしまうことがあった。
【００４６】
なお、図５で示した抵抗素子Ｒ１２，Ｒ１４，Ｒ１６の抵抗値を変えることによってコンポーネント映像信号[Ｙ]，[Ｖ]，[Ｕ]の電圧を調整し、コンポジット映像信号を入力したときの映像の白バランスに合わせることも考えられる。この場合、図８に示すように、上記抵抗値を変えることにより、色信号Ｒ，Ｇ，Ｂの出力電圧（R-out,G-outu,B-outと記載）のペデスタルレベル（Pedestal Level）を上下させて調整することができる。なお、図８の縦軸は色信号Ｒ，Ｇ，Ｂの出力電圧であり、横軸は時間ｔである。また、ペデスタルレベルは黒レベル（タイミングt1）の出力電圧であり、同期信号の出力電圧（タイミングt2）を除いて最も低い電圧レベルである。しかし、抵抗素子Ｒ１２，Ｒ１４，Ｒ１６を可変抵抗器に変更したとしても、白バランスを合わせるように抵抗値を変える作業は面倒であるため、調整作業に時間がかかるすぎる問題がある。
また、クロマＩＣにペデスタルレベルを設定する回路を設けることも考えられるが、この場合であっても白バランスを合わせるように同回路の設定を変える作業が面倒となるため、やはり調整作業に時間がかかるすぎる問題が残る。
【００４７】
そこで、図７に示すように、本考案では上記白バランス調整値（本考案にいう調整値）の他にコンポーネントの映像の白バランスを調整可能とする別の５種類のコンポーネント用調整値（第二調整値）もＥＥＰＲＯＭ１５０に記憶させるようにしている。同コンポーネント用調整値も、Ｒ用カットオフ調整値、Ｇ用カットオフ調整値、Ｂ用カットオフ調整値、R-Y用ドライブ調整値、B-Y用ドライブ調整値、が設けられ、ＴＶ別に設定されてＥＥＰＲＯＭの所定のデータ領域に書き込まれる。
上記コンポーネント用調整値と白バランス調整値とは、バス１０１に接続されたポート１０２から入力され、マイコン１１０の制御によりＥＥＰＲＯＭ１５０に記憶される。そして、各種調整値は、ＴＶ別に設定されるので、ＴＶ毎に少しずつ異なったものとなる。
【００４８】
以上の構成により、ＴＶは、コンポジットの映像の白バランスを調整する白バランス調整値とともに、コンポーネントの映像の白バランスを調整するコンポーネント用調整値を入力してＥＥＰＲＯＭに記憶可能である。そして、コンポーネント映像信号を入力したとき、クロマ回路に対してＥＥＰＲＯＭに記憶されたコンポーネント用調整値を出力することにより、同クロマ回路にて色差信号R-Y,B-Yと色信号Ｒ，Ｇ，Ｂの組み合わせに対してＥＥＰＲＯＭに記憶されたコンポーネント用調整値に応じた調整量の調整処理を行う。すると、コンポーネント映像信号が入力されたとき、受像管１６２から、コンポーネント映像信号に合わせて白バランスが調整された映像が表示される。
なお、本考案を適用可能なＴＶは、色差信号にのみコンポーネント用調整値に応じた調整量の調整処理を行う装置であってもよいし、三原色別の色信号にのみコンポーネント用調整値に応じた調整量の調整処理を行う装置であってもよい。むろん、カットオフのみの調整処理を行うＴＶにも本考案を適用可能であるし、ドライブのみの調整処理を行うＴＶにも本考案を適用可能である。
【００４９】
（２）信号発生回路の構成：
ＴＶ１００に接続する信号発生回路２０は、図９に示すように、概略、信号発生部２１，２２とこれらに接続された信号切替部２３を備えている。同信号切替部２３は、コンポジット用信号ケーブル２８を介してＴＶの端子１８１に接続されているとともに、コンポーネント用信号ケーブル２９を介してＴＶの端子１８２〜１８４に接続されている。
【００５０】
コンポジット映像信号発生部２１は、基準のコンポジット映像信号（第一の映像信号の基準信号）を生成する回路とされている。コンポーネント映像信号発生部２２は、ＹＵＶからなる基準のコンポーネント映像信号（第二の映像信号の基準信号）を生成する回路とされている。これらの基準信号は、ＴＶ１００の表示画面の左半分を一様に所定の輝度（例えば１ｆＬ、ｆＬはフートランバート）の暗い画面とし、同表示画面の右半分を一様に別の所定の輝度（例えば５０ｆＬ）の明るい画面とする信号とされている。
信号切替部２３は、基準のコンポジット映像信号を入力してＴＶのコンポジット映像入力端子１８１に対して出力するか、基準のコンポーネント映像信号を入力してＴＶのコンポーネント映像入力端子１８２〜１８４に対して出力するか、を切り替える回路である。
すなわち、信号発生回路２０は、白バランス調整値を決定するための基準のコンポジット映像信号と、コンポーネント用調整値を決定するための基準のコンポーネント映像信号とを生成して、ＴＶに対して選択的に出力することが可能である。
【００５１】
上記基準信号が入力されたＴＶ１００では、図１に示すように、表示画面の左半分が一様に暗い画面１９１となり、右半分が一様に明るい画面１９２となる。従って、映像信号の種類別に、同画面に表示された映像の白バランスを表す色成分を左右画面のそれぞれについて測定し、白バランス調整を行う。
【００５２】
なお、信号発生回路は、様々な構成が考えられ、従来から採用されている種々のＴＶ調整時に用いられる信号発生回路を適用することができる。
また、信号切替部２３に接続されたＩ／Ｏポート２４を設けてもよい。同Ｉ／Ｏポート２４をＰＣ４０のＩ／Ｏポート４１ｇに接続しておくと、基準のコンポジット映像信号と基準のコンポーネント映像信号とをＰＣからの入力により切り替えることが可能になる。
【００５３】
（３）カラーアナライザの構成：
カラーアナライザ３０は、図１０に示すように、上記プローブ３０ａ，ｂの他、マイコン３１、Ａ／Ｄ変換回路３２ａ，ｂ、シリアルＩ／Ｆ（ＵＳＢＩ／Ｆ、ＲＳ−２３２ＣＩ／Ｆ、等）３３、操作パネル３４を備えている。マイコン３１にはＡ／Ｄ変換回路３２ａ，ｂとＩ／Ｆ３３と操作パネル３４が接続され、Ａ／Ｄ変換回路３２ａ，ｂにはそれぞれプローブ３０ａ，ｂが接続されている。同シリアルＩ／Ｆ３３は、シリアルデータケーブル（ＵＳＢケーブル、ＲＳ−２３２Ｃケーブル、等）３９を介してＰＣのＣＯＭポート４０ｂに接続されている。
【００５４】
プローブ３０ａ，ｂは、例えばシリコンフォトセルからなる受光素子を備えており、ＴＶ１００の表示画面に同受光素子の受光面を接触させることにより、表示された映像の色成分量を電圧信号に変換することによって検出可能となっている。色成分量としては、CIE規格のｘｙ色度に対応する量と、輝度Ｙに対応する量を検出可能となっている。ここで、「LOW LIGHT」調整用プローブ３０ａについては画面左半分の暗い画面１９１に接触させ、「HIGH LIGHT」調整用プローブ３０ｂについては画面右半分の明るい画面１９２に接触させるようにしている。その結果、プローブ３０ａではＴＶ１００の暗い画面におけるｘｙ色度と輝度Ｙとが検出され、プローブ３０ｂではＴＶ１００の明るい画面におけるｘｙ色度と輝度Ｙとが検出される。
【００５５】
Ａ／Ｄ変換回路３２ａ，ｂは、それぞれプローブ３０ａ，ｂにて検出された色成分量をアナログ量からデジタルの色成分値に変換する。従って、マイコン３１は、ｘｙ色度に対応する値と、輝度Ｙに対応する値を取得することができる。
マイコン３１は、操作パネル３４への操作入力を受け付けるとともに、シリアルＩ／Ｆ３３を介してＰＣ４０からの入力も受け付け可能であり、入力内容に応じてカラーアナライザ３０全体の制御を行う。Ａ／Ｄ変換回路３２ａ，ｂから色成分値を入手すると、ケーブル３９を介してＣＯＭポート４０ｂに対して出力する。
【００５６】
すなわち、カラーアナライザ３０は、ＴＶにて表示される映像の色成分量を検出して対応する色成分値を出力することが可能である。
なお、カラーアナライザは、様々な構成が考えられ、従来から採用されている種々のＴＶ調整時に用いられるカラーアナライザを適用することができる。
【００５７】
（４）白バランス調整用コンピュータの構成：
ＰＣ４０は、図１１に示すように、バス４１ｈに、ＣＰＵ４１ａ、ＲＯＭ４１ｂ、ＲＡＭ４１ｃ、ディスプレイＩ／Ｆ４１ｄ、ドライバ機能を有するハードディスク４１ｅ、入力Ｉ／Ｆ４１ｆ、Ｉ／Ｏポート４１ｇ、ＬＰＴポート４０ａ、ＣＯＭポート４０ｂが接続されている。ディスプレイＩ／Ｆ４１ｄにはディスプレイ４１ｄ１が接続され、入力Ｉ／Ｆ４１ｆにはキーボード４１ｆ１とマウス４１ｆ２が接続されている。ポート４０ａにはケーブル４９を介してＴＶ１００が接続され、ポート４０ｂにはケーブル３９を介してカラーアナライザ３０が接続されている。
【００５８】
ＲＯＭ４１ｂには所定の制御プログラムが書き込まれており、ＣＰＵ４１ａは、ＲＡＭ４１ｃをワークエリアとして使用しながら同制御プログラムを実行する。また、ハードディスク４１ｅには白バランスを調整する処理を行うアプリケーションプログラムが格納されており、適宜ＲＡＭに読み出されて実行される。そして、ＰＣ４０は、各種調整値をＴＶ１００に対して出力することにより、表示される映像の白バランス調整を行う。
なお、ＰＣ４０には、デスクトップ型、ノート型、モバイル対応等種々のパーソナルコンピュータを採用可能であるが、パーソナルコンピュータ以外のコンピュータも採用可能である。
本システム１０では、自動的に各種調整値を決定してＴＶに対して出力することにより、ＴＶの生産工場での白バランスの調整作業を軽減させている。
【００５９】
（５）白バランス調整処理：
図１２は、白バランス調整を行う処理の流れを示している。なお、ＴＶを製造する工場での最終調整工程において、ＴＶ１００の白バランス調整を行うものとする。ここで、デフォルトの白バランス調整値とコンポーネント用調整値を書き込んだＥＥＰＲＯＭをＴＶに実装したうえで本処理が行われる。
まず、工場の作業者が信号切替部２３をコンポジット側に切り替えて、信号発生回路２０から基準のコンポジット映像信号が出力されている状態にさせる作業を行う。その状態で、ＴＶ１００は、端子１８１から基準のコンポジット映像信号を入力することになる（ステップＳ１０５。以下、「ステップ」の記載を省略）。このとき、ＰＣ４０からＩ／Ｏポート４１ｇを介して信号切替部２３をコンポジット側にする信号を出力して、信号切替部２３をコンポジット側にしてもよい。すると、ＴＶは、色差信号R-Y,B-Yと色信号Ｒ，Ｇ，Ｂに対してデフォルトの白バランス調整値に応じた調整量の調整処理を行い、図１で示したような白バランス調整用の映像を画面表示する。
【００６０】
次に、工場の作業者がＴＶの表示画面にプローブ３０ａ，ｂを接触させる作業を行う。その状態で、カラーアナライザ３０は、暗い画面１９１と明るい画面１９２の映像の色成分量を検出し、検出した色成分量に対応するデジタルの色成分値をＰＣに対して出力する（Ｓ１１０）。同色成分値は、例えば、上記ｘｙ色度に対応する値と輝度とすることができる。
【００６１】
ＰＣでは、信号発生回路から基準のコンポジット映像信号が出力されているか否かを判断し、出力されていると判断したときにカラーアナライザから出力される両画面１９１，１９２別の第一の色成分値を取得する（Ｓ１１５）。本実施形態では、キーボード４１ｆ１への所定のキー操作が行われたときに同基準のコンポジット映像信号が出力されていると判断し、同キー操作が行われるまでＳ１１５の処理を行わないようにしている。さらに、取得した第一の色成分値に基づいて５種類の白バランス調整値を決定し、ＴＶに対して出力する（Ｓ１２０）。すると、ＴＶは、マイコン１１０の処理により、ポート１０２から５種類の白バランス調整値を入力し、図７で示したように、ＥＥＰＲＯＭ１５０に記憶する（Ｓ１２５）。同ＴＶは、コンポジット映像信号を入力したときにＥＥＰＲＯＭから白バランス調整値を読み出し、内蔵するクロマ回路にて色差信号R-Y,B-Yと色信号Ｒ，Ｇ，Ｂとに対して白バランス調整値に応じた調整量の調整処理を行い、映像を表示する。
【００６２】
例えば、図１３に示すように、色度値ｘ（赤成分）の目標値が０．３４０（例えばCIE規格の色度ｘ）であり、実測値が目標値よりも小さい場合、実測値を取得したＰＣは、色度値ｘを大きくするようにカットオフ調整値を決定する。逆に、色度値ｚ（青成分）のように実測値が目標値よりも大きい場合、実測値を取得したＰＣは、色度値ｚを小さくするようにカットオフ調整値を決定する。なお、色度値ｚは、算出式ｚ＝１−ｘ−ｙにより算出することができる。
カットオフ調整値は、様々な算出式により算出可能である。一例を挙げると、色成分値の目標値をｘ０、暗い画面での実測値をｘ１、明るい画面での実測値をｘ２とし、色成分値の変化量をカットオフ調整値の変化量に一致させる所定の換算係数をＣ０（Ｃ０＞０）、カットオフ調整値の中央値をＣｍ（Ｃｍ＞０）とすると、カットオフ調整値Ｃは以下の式により求めることができる。
Ｃ ＝ Ｃｍ ＋ Ｃ０ × ｛ｘ０ − （ｘ１＋ｘ２）／２｝    …（１）
【００６３】
また、輝度値Ｙの目標値が暗い画面で１．０、明るい画面で５０．０（例えばｆＬ単位）であり、実測値が目標値よりも小さい場合、実測値を取得したＰＣは、輝度値Ｙを大きくするようにドライブ調整値を決定する。逆に、実測値が目標値よりも大きい場合、実測値を取得したＰＣは、輝度値Ｙを小さくするようにドライブ調整値を決定する。一例を挙げると、輝度値の目標値をＹ01（暗い画面）、Ｙ02（明るい画面）、暗い画面での実測値をＹ11、明るい画面での実測値をＹ12、輝度値の補正率の変化量をドライブ調整値の変化量に一致させる所定の補正係数をＤ０（Ｄ０＞０）、ＲまたはＢの色成分値の目標値をｘ０、色成分値の変化量をドライブ調整値の変化量に一致させる所定の換算係数をＤ１（Ｄ１＞０）、ドライブ調整値の中央値をＤｍとすると、ドライブ調整値Ｄは以下の式により求めることができる。
Ｄ ＝ Ｄｍ ＋ Ｄ１×ｘ０ − Ｄ０×（Ｙ02−Ｙ01）／（Ｙ12−Ｙ11）
…（２）
以上のようにして、ＰＣはカラーアナライザとともに、第一の映像信号の基準信号をＴＶに対して出力している状態において同ＴＶにて表示される映像の色成分量を検出して対応する第一の色成分値ｘ，ｙ，ｚ，Ｙを取得する。
【００６４】
その後、工場の作業者が信号切替部２３をコンポーネント側に切り替えて、信号発生回路から基準のコンポーネント映像信号が出力されている状態にする作業を行う。その状態で、ＴＶは、端子１８２〜１８４から基準のコンポーネント映像信号を入力することになる（Ｓ１３０）。このとき、ＰＣからＩ／Ｏポート４１ｇを介して信号切替部２３をコンポーネント側にする信号を出力して、信号切替部２３をコンポーネント側にしてもよい。すると、ＴＶは、色差信号R-Y,B-Yと色信号Ｒ，Ｇ，Ｂに対してデフォルトのコンポーネント用調整値に応じた調整量の調整処理を行い、映像を表示する。
次に、工場の作業者がＴＶの表示画面にプローブ３０ａ，ｂを接触させる作業を行う。その状態で、カラーアナライザ３０は、暗い画面１９１と明るい画面１９２の映像の色成分量を検出し、検出した色成分量に対応するデジタルの色成分値をＰＣに対して出力する（Ｓ１３５）。同色成分値も、例えば、上記ｘｙ色度に対応する値と輝度とすることができる。
【００６５】
ＰＣでは、信号発生回路から基準のコンポーネント映像信号が出力されているか否かを判断し、出力されていると判断したときにカラーアナライザから出力される両画面１９１，１９２別の第二の色成分値ｘ，ｙ，ｚ，Ｙを取得する（Ｓ１４０）。上記Ｓ１１５と同様、キーボード４１ｆ１への所定のキー操作が行われたときに同基準のコンポーネント映像信号が出力されていると判断し、同キー操作が行われるまでＳ１４０の処理を行わないようにしている。
さらに、取得した第一・第二（第一および第二）の色成分値ｘ，ｙ，ｚ，Ｙの差と、所定の基準値とを比較することにより、第一・第二の色成分値の差が所定範囲外であるか否かを判断する（Ｓ１４５）。例えば、ｘ，ｙ，ｚ，Ｙ別に、第一・第二の色成分値の差の絶対値が上記所定の基準値以下であるか否かを判断し、同絶対値が所定の基準値より大きければ所定範囲外であると判定し、同絶対値が所定の基準値以下であれば所定範囲内であると判定する。
【００６６】
上記差が所定範囲外であると判定したときには、スペック外であるため、Ｓ１５０に進み、取得した第二の色成分値に基づいて５種類のコンポーネント用調整値を算出し、ＴＶに対して出力する。コンポーネント用調整値の算出も、上述した白バランス調整値の算出と同様にして行うことができる。このようにして、ＰＣはカラーアナライザとともに、第二の映像信号の基準信号をＴＶに対して出力している状態において同ＴＶにて表示される映像の色成分量を検出して対応する第二の色成分値を取得する。
すると、ＴＶは、マイコン１１０の処理により、ポート１０２から５種類のコンポーネント用調整値を入力してＥＥＰＲＯＭに記憶する（Ｓ１５５）。この段階で、ＴＶには基準のコンポーネント映像信号が入力され続けているので、ＴＶは、ＥＥＰＲＯＭから新たに記憶したコンポーネント用調整値を読み出し、内蔵するクロマ回路にて色差信号R-Y,B-Yと色信号Ｒ，Ｇ，Ｂとに対してコンポーネント用調整値に応じた調整量の調整処理を行い、映像を表示する。
【００６７】
その後、ＰＣは、Ｓ１４０〜Ｓ１５０により、取得した第一・第二の色成分値の差が所定範囲内となるまで、第二の色成分値に基づいてコンポーネント用調整値を算出してＴＶに対して出力した後にカラーアナライザから第二の色成分値を取得する処理を繰り返し行う。Ｓ１４５で第一・第二の色成分値の差が所定範囲内であると判断すると、フローを終了する。すなわち、ＴＶに対して最終的に出力されるコンポーネント用調整値は第一・第二の色成分値の差異が少なくされるので、コンポーネントの映像の白バランスをコンポジットの映像の白バランスに合わせることができる。
以上のようにして、ＰＣは、取得した第一・第二の色成分値に基づいて第二の映像信号に基づく映像の白バランスを第一の映像信号に基づく映像の白バランスに合わせるように第二調整値を決定してＴＶに対して出力することにより、白バランス調整を行う。そして、上記ＰＣの処理が、カラーアナライザとともに、本考案にいう調整手段を構成する。
【００６８】
このように、本考案によると、コンポジット映像信号に基づく映像の白バランスのみならず、コンポーネント映像信号に基づく映像の白バランスも十分に調整することができる。従って、コンポジットモードとコンポーネントモード双方にて良好な白バランスにより映像を表示することができ、両映像信号を入力して比較したときの映像の白バランスの差異を少なくさせたＴＶを提供することができる。
また、各種調整値はＴＶ別に設けられているので、コンポジット映像信号やコンポーネント映像信号に基づく映像の白バランスをＴＶ毎に調整することができ、両映像信号を入力して比較したときの映像の白バランスの差異を確実に少なくさせることができる。その際、コンポーネント用調整値が自動的に設定されるので、ＴＶに対して抵抗回路の抵抗値を変えるといった面倒な調整作業を行う必要はない。その結果、ＴＶの白バランスの調整作業を軽減させることができ、ひいてはＴＶの量産性を向上させることができる。
【００６９】
（６）テレビジョンの動作：
図１４、図１５は、ＴＶのマイコン１１０と映像増幅・クロマ回路の制御回路１３１が行う調整処理を示している。本フローは、ＲＯＭ１１２に記憶されたプログラムに従って、繰り返し実行されるようになっている。
まず、コンポジット映像信号を入力するか否かをマイコン１１０が判断する（Ｓ２０５）。本実施形態では、操作パネル１１９や図示しないリモコン送信機への所定のキー操作が行われたときにコンポジット映像信号を入力すると判断することにしている。コンポジット映像信号を入力しないと判断したときには、Ｓ３０５に進む。
【００７０】
コンポジット映像信号を入力すると判断したとき、マイコン１１０はクロマ回路に対してコンポジットモードであることを表す情報（例えば、所定のコード）を出力する（Ｓ２１０）。
クロマ回路の制御回路１３１は、上記コンポジットモードであることを表す情報を入力して、内蔵するメモリ１３１ｂに保持する（Ｓ２５５）。次に、Ｉ／Ｏ１３１ｃからスイッチ回路ＳＷ１〜ＳＷ３に対して電圧レベルＨを出力する（Ｓ２６０）。電圧レベルＨが入力された各スイッチ回路ＳＷ１〜ＳＷ３は、図５で示す入力部をコンポジット側（上側）に切り替え、コンポジット映像信号から分離後の映像信号を入力して出力部より出力する。
【００７１】
その後、マイコン１１０は、デジタルの白バランス調整値をＥＥＰＲＯＭから読み出す（Ｓ２１５）。図７で示したように、白バランス調整値は、コンポジット映像信号に基づく色信号Ｒ，Ｇ，Ｂに対するカットオフを調整可能とするＲ，Ｇ，Ｂ別カットオフ調整値、同コンポジットの映像の色差信号R-Y,B-Yのドライブを調整可能とするR-Y,B-Y別ドライブ調整値である。そして、読み出した白バランス調整値をクロマ回路に対して出力し（Ｓ２２０）、フローを終了する。
【００７２】
クロマ回路の制御回路１３１は、上記白バランス調整値を入力し、内蔵するメモリ１３１ｂに保持する（Ｓ２６５）。次に、ドライブ調整値２種類をＤ／Ａ変換回路１４５に対して出力する（Ｓ２７０）。同回路１４５は、デジタルのドライブ調整値を対応するアナログの電圧に変換して、ドライブ調整回路１４２に対して出力する。同ドライブ調整回路１４２は、Ｄ／Ａ変換回路１４５の出力電圧に応じて各色差信号R-Y,B-Yのドライブを調整し、マトリックス回路１４３に対して出力する。このようにして、復調回路１４１から出力される色差信号R-Y,B-Yに対して同ドライブ調整値に応じた調整量の調整処理が行われる。
【００７３】
さらに、制御回路１３１は、カットオフ調整値３種類をＤ／Ａ変換回路１４６に対して出力し（Ｓ２７５）、フローを終了する。同回路１４６は、デジタルのカットオフ調整値を対応するアナログの電圧に変換して、カットオフ調整回路１４４に対して出力する。同カットオフ調整回路１４４は、Ｄ／Ａ変換回路１４６の出力電圧に応じて各色信号Ｒ，Ｇ，Ｂのカットオフを調整し、外部の映像出力回路１６１に対して出力する。このようにして、マトリックス回路１４３から出力される色信号Ｒ，Ｇ，Ｂに対して同カットオフ調整値に応じた調整量の調整処理が行われる。
以上のようにして、ＴＶ１００は、クロマ回路に対してＥＥＰＲＯＭに記憶した白バランス調整値を出力することにより、同クロマ回路にて色差信号R-Y,B-Yと色信号Ｒ，Ｇ，Ｂの組み合わせに対して同白バランス調整値に応じた調整量の調整処理を行い、コンポジットの映像に合わせて白バランスが調整された映像を表示する。
【００７４】
一方、図１５のＳ３０５では、コンポーネント映像信号を入力するか否かをマイコン１１０が判断する。上記Ｓ２０５と同様、操作パネル１１９等への所定のキー操作が行われたときにコンポーネント映像信号を入力すると判断することにしている。コンポーネント映像信号を入力しないと判断したときには、フローを終了する。
コンポーネント映像信号を入力すると判断したとき、マイコン１１０はクロマ回路に対してコンポーネントモードであることを表す情報（例えば、別の所定のコード）を出力する（Ｓ３１０）。
クロマ回路の制御回路１３１は、上記コンポーネントモードであることを表す情報を入力して、内蔵するメモリ１３１ｂに保持する（Ｓ３５５）。次に、Ｉ／Ｏ１３１ｃからスイッチ回路ＳＷ１〜ＳＷ３に対して電圧レベルＬを出力する（Ｓ３６０）。電圧レベルＬが入力された各スイッチ回路ＳＷ１〜ＳＷ３は、図５で示す入力部をコンポーネント側（下側）に切り替え、コンポーネント映像信号[Ｙ]，[Ｖ]，[Ｕ]を入力して出力部より出力する。
【００７５】
その後、マイコン１１０は、デジタルのコンポーネント用調整値をＥＥＰＲＯＭから読み出す（Ｓ３１５）。図７で示したように、コンポーネント用調整値は、コンポーネント映像信号に基づく色信号Ｒ，Ｇ，Ｂに対するカットオフを調整可能とするＲ，Ｇ，Ｂ別カットオフ調整値、同コンポーネントに基づく色差信号R-Y,B-Yのドライブを調整可能とするR-Y,B-Y別ドライブ調整値である。そして、読み出したコンポーネント用調整値をクロマ回路に対して出力し（Ｓ３２０）、フローを終了する。
【００７６】
クロマ回路の制御回路１３１は、上記コンポーネント用調整値を入力し、内蔵するメモリ１３１ｂに保持する（Ｓ３６５）。次に、ドライブ調整値２種類をＤ／Ａ変換回路１４５に対して出力する（Ｓ３７０）。同回路１４５は、デジタルのドライブ調整値を対応するアナログの電圧に変換して、ドライブ調整回路１４２に対して出力する。同ドライブ調整回路１４２は、Ｄ／Ａ変換回路１４５の出力電圧に応じて各色差信号R-Y,B-Yのドライブを調整し、マトリックス回路１４３に対して出力する。このようにして、コンポーネントモードでも、復調回路１４１から出力される色差信号R-Y,B-Yに対して同ドライブ調整値に応じた調整量の調整処理が行われる。
【００７７】
さらに、制御回路１３１は、カットオフ調整値３種類をＤ／Ａ変換回路１４６に対して出力し（Ｓ３７５）、フローを終了する。同回路１４６は、デジタルのカットオフ調整値を対応するアナログの電圧に変換して、カットオフ調整回路１４４に対して出力する。同カットオフ調整回路１４４は、Ｄ／Ａ変換回路１４６の出力電圧に応じて各色信号Ｒ，Ｇ，Ｂのカットオフを調整し、外部の映像出力回路１６１に対して出力する。このようにして、コンポーネントモードでも、マトリックス回路１４３から出力される色信号Ｒ，Ｇ，Ｂに対して同カットオフ調整値に応じた調整量の調整処理が行われる。
以上のようにして、ＴＶは、クロマ回路に対してＥＥＰＲＯＭに記憶したコンポーネント用調整値を出力することにより、同クロマ回路にて色差信号R-Y,B-Yと色信号Ｒ，Ｇ，Ｂの組み合わせに対して同コンポーネント用調整値に応じた調整量の調整処理を行い、コンポーネントの映像にも合わせて白バランスが調整された映像を表示する。
【００７８】
このように、本考案のＴＶによると、コンポジット映像信号に基づく映像の白バランスのみならず、コンポーネント映像信号に基づく映像の白バランスも十分に調整することができる。また、各種調整値はＴＶ別に設けられているので、コンポジット映像信号やコンポーネント映像信号に基づく映像の白バランスがＴＶ毎に調整される。従って、両映像信号を入力して比較したときの映像の白バランスの差異を確実に少なくさせることが可能となる。
【００７９】
なお、本考案は、複数の種類の信号で明るさおよび色を表す複数の映像信号を選択的に入力して映像を表示するＴＶにも適用可能である。例えば、コンポーネント映像信号を第一の映像信号としてコンポジット映像信号を第二の映像信号とするＴＶに対して適用可能であるし、ＲＦ信号入力部から入力されるＲＦ信号を第一の映像信号とするＴＶに対して適用可能であるし、コンポジットのＶＩＤＥＯ信号を第一の映像信号としてコンポジットのＲＦ信号とコンポーネント映像信号とを第二の映像信号とするＴＶに対して適用可能である。
ここで、白バランス調整値やコンポーネント用調整値は、それぞれ、コンポジット映像信号、コンポーネント映像信号に基づく映像の白バランスを調整する値であればよく、上述した５種類の組み合わせ以外にも様々な調整値を採用可能である。むろん、上述した５種類の調整値すべてを使用する必要もない。
【００８０】
以上説明したように、本考案によると、種々の態様により、複数の種類の映像信号をテレビジョンに選択的に入力したときに、これらの映像信号に基づく映像の白バランスの差異を少なくさせることが可能となる。
【図面の簡単な説明】
【００８１】
【図１】テレビジョン調整システムの一例を示すブロック図である。
【図２】テレビジョンの構成を示すブロック図である。
【図３】映像増幅・クロマ回路の構成を示すブロック図である。
【図４】映像出力回路と受像管の要部を示す回路図である。
【図５】コンポジットモードかコンポーネントモードかを切り替える回路を示す図である。
【図６】従来例におけるＥＥＰＲＯＭの記憶領域を示す模式図である。
【図７】本実施形態におけるＥＥＰＲＯＭの記憶領域を示す模式図である。
【図８】色信号Ｒ，Ｇ，Ｂの出力電圧のペデスタルレベルを説明する図である。
【図９】信号発生回路の概略構成を示すブロック図である。
【図１０】カラーアナライザの概略構成を示すブロック図である。
【図１１】白バランス調整用コンピュータのハードウェア構成を示すブロック図である。
【図１２】白バランス調整を行う処理の流れを示す図である。
【図１３】各種調整値を決定する様子を説明する図である。
【図１４】ＴＶが行う処理を示すフローチャートである。
【図１５】ＴＶが行う処理を示すフローチャートである。
【符号の説明】
【００８２】
１０…テレビジョン調整システム
２０…信号発生回路
２１…コンポジット映像信号発生部
２２…コンポーネント映像信号発生部
２３…信号切替部
３０…カラーアナライザ（色分析手段）
３０ａ，ｂ…プローブ
３１…マイコン
３２ａ，ｂ…Ａ／Ｄ変換回路
３３…シリアルインターフェイス
４０…白バランス調整用コンピュータ
１００…テレビジョン
１１０…マイコン
１２０…チューナ回路
１３０…映像増幅・クロマ回路
１３１…制御回路
１３１ａ…ＣＰＵ
１３１ｂ…メモリ
１３９…帯域増幅回路
１４０…色同期回路
１４１…復調回路
１４２…ドライブ調整回路
１４３…マトリックス回路
１４４…カットオフ調整回路
１４５，１４６…Ｄ／Ａ変換回路
１５０…ＥＥＰＲＯＭ（不揮発性メモリ）
１６１…映像出力回路
１６２…受像管
１８１…コンポジット映像入力端子
１８２〜１８４…コンポーネント映像入力端子
ＳＷ１〜ＳＷ３…スイッチ回路
【図１】
0003101320.tif 000003
【図２】
0003101320.tif 000004
【図３】
0003101320.tif 000005
【図４】
0003101320.tif 000006
【図５】
0003101320.tif 000007
【図６】
0003101320.tif 000008
【図７】
0003101320.tif 000009
【図８】
0003101320.tif 000010
【図９】
0003101320.tif 000011
【図１０】
0003101320.tif 000012
【図１１】
0003101320.tif 000013
【図１２】
0003101320.tif 000014
【図１３】
0003101320.tif 000015
【図１４】
0003101320.tif 000016
【図１５】
0003101320.tif 000017